(57)【要約】【課題】瓶に取り付けられた瓶蓋を迅速且つ安全に開栓する栓抜きを提供する。【解決手段】モーター回転子を内蔵した送風ファン１２をモーター固定子１６を配置した軸頭１３２に対して回転可能に支持し、傾斜面によって拡大した第１開口１１１を形成する第一枠壁１１４に対してファン羽根１２２を配置し、ファン１２のよって強制送風される開口１１１から図面下方への流路を絞りこまれた垂直な枠壁を経由して再び拡大した流路に形成することによって、強制送風ファンによって送られる空気を滑らかに圧縮、加速し、送風量の向上とファン羽根の空気せん断による騒音を低減する。【選択図】図1
2007100555.tif 000002
【特許請求の範囲】
【請求項１】
枠体及び枠体内に設けられる羽根部から構成され、
該羽根部は、中心の軸頭及び該軸頭から外方に延伸する羽を設けてなり、
該枠体は、枠体を貫通する固定ネジ貫通孔を設けてなると共に、
羽根部を設けた枠体の羽根に接する空気流入側は、外方から中心に向けて窄まるように傾斜面を形成した第一枠壁によって第一開口を形成し、
空気流出側は、空気流路を拡大するように傾斜面を形成した第二枠壁によって第二開口を形成し、第一枠壁と第二枠壁間は傾斜のない垂直な面を形成する第三枠壁によって接続してなり、
更に、第一枠壁による第一開口は上記貫通孔の位置を超えて外方に及ぶ、
ことを特徴としたファンユニット。
【請求項２】
前記の貫通孔は、第一枠壁を貫通してなることを特徴とした請求項１に示されるファンユニット。
【請求項３】
前記の第一枠壁と第二枠壁の長さが異なるように構成したことを特徴とする請求項１に示されるファンユニット。
【請求項４】
前記の第一枠壁と第二枠壁の長さを等しく構成したことを特徴とする請求項１に示されるファンユニット。
【発明の詳細な説明】
【技術分野】
【０００１】
本発明は、半導体デバイスの空冷ファン用ファンユニットに関するものであり、ファンの通風量の増加を提供する。
【背景技術】
【０００２】
工業技術と半導体製造工程の急速な進歩により、電子部品及びチップ製造分野は絶え間ない向上をなし、一般的にホストコンピュータの構成は、マイクロプロセッサー、メイン基盤上のブリッジ回路チップ、カード上の高性能チップ、ハードディスク、ＣＤ−ＲＯＭ、及び電源供給機等からなるが、その内マイクロプロセッサーの発する熱量が最も多く、且つマイクロコンピュータでは、その消費電力量が１００Ｗ近くに上り、それらの発生する熱量は、灼熱する金属板に相当する程の大量の熱量であり、技術が日進月歩する中で、問題は更に深刻化する可能性がある。そして、現在の市販されているパソコンとノートパソコンの放熱方法は、スペース上の制限により、多くはヒートシンク上に設置した小型ファンを利用しており、この構造を発熱源上に設置し、発熱効果を達成する。
このように、現在のシステム全体の構成上、放熱方法及びそのための技術の向上は、システムを迅速且つ効果的に動作させるために求められており、現在産業界及び学術界の共同研究課題とされている。既存の冷却方式は、主に自然放熱及び強制冷却、液体による間接及び直接冷却、相変化冷却等が有るが、中でも強制ファン冷却は一般に常用される冷却方式であり、理由としては、空気は周囲環境から最も簡単に得られる流体であり、コストの安い冷却媒体であって、駆動原を容易に得られることによるが、ファンの駆動により空気を強制流動させて熱を排出する作用によって強制冷却効果を発揮することから、いかに現在のファンの構造において改良を加え、ファンによる空気流量を向上して、強制空冷効果並びに確実な放熱効果を達成するかが、課題とされる。
又、中華民国特許公報広告番号第５６２３９１号の「放熱ファンのケース構造」の考案に掲示される技術は、その基板に堀を設け、堀で囲まれる範囲に数本の支柱で台を支え、台に設けられるソケットで固定子と羽根部を接続して、且つその堀の内壁面と台は非直角の傾斜面を成すというものである。
【０００３】
又、更に進んだ定義として、その基板に固定孔を設け、又その塀に相応する位置に対応する孔を設け、その他にその図より分かるように発明の堀は薄い壁面を成している。
【０００４】
但し上記の実施方式には問題があり、非常に薄い塀壁上に開口を設ける必要がある為、製造過程において、前記箇所の開口は射出成型の型抜き時に失敗し易く、即ち製造工程の不良発生率を増加させ、更には塀壁の強度に影響し、塀壁は開口箇所が破損し易く、その使用寿命へも影響が及ぶのである。
【０００５】
又、中華民国特許公報公告番号第５６６０７３号の「放熱装置及び枠組構造」の発明に開示される技術は、羽根部と扇枠部から成り、扇枠には通道を設け、開口から開口へ気流を導引し、少なくとも一つの開口端の通道内壁は放熱装置及び通道の軸を中心とし外側方向に延伸拡張し、気流の流出流入する面積の増加させ、これにより他のユニットとの組合を変えない条件下では、放熱装置の放熱性能を大幅に向上させることができるというものである。
【０００６】
しかしながら、上述の実施方式には操作上の問題があり、図に示される縁壁の外側拡散方向への範囲が螺旋孔を超過していない為、拡散は螺旋孔を超過しない範囲で形成され、通風口の面積が制限され不十分になり、放熱効果も明らかに制限される。
【特許文献１】特開２００４−２６３８２１号公報
【発明の開示】
【発明が解決しようとする課題】
【０００７】
本発明では、提供する前記扇枠が第一枠壁から外側方向へ拡散する範囲が枠体の貫通孔を超過することにより、第一開口の流体流入面積を増加させることを目的とする。
本発明では、提供する前記羽根部が外側に向かい拡散する第一開口に合わせて大きさを拡大し、通風量及び放熱効率を増加させることを目的とする。
本発明では、提供する前記扇枠の第一枠壁が傾斜状を成すことにより、羽根と枠壁により発生する風切音を減少させることを目的とする。
本発明では、提供する前記扇枠の第二枠壁が傾斜状を成すことにより、流体の流路面積を拡散させることを目的とする。
本発明では、提供する前記扇枠の第三枠壁が非傾斜状を成すことにより、羽根部に加圧作用を生じさせ、流体の流動速度を加速することを目的とする。
【課題を解決するための手段】
【０００８】
上述の目的を達成するため、本発明は、枠体及び枠体内に設けられる羽根部から成り、羽根部には、軸頭及び軸頭から外側へ延伸する羽が設けられ、枠体には、枠体を貫通する流路としての開口が形成され、且つ該流路は枠体の両側に第一開口及び第二開口を形成、更に枠体上には貫通孔が設けられ、枠体の第一開口側には傾斜を設けて外側へ拡散する第一枠壁、第二開口側には第一枠壁と反対方向へ傾斜を成す第二枠壁が設けられ、第一枠壁の外側方向への傾斜した範囲は枠体の貫通孔を超えて延長され、第一枠壁と第二枠壁間には傾斜を成さない第三枠壁が設けられる。
【発明の効果】
【０００９】
枠体１１の第一枠壁１１４、第二枠壁１１５、第三枠壁１１６によって、流体に以下の三段式の作用を生じさせる。
１、流体の流動量を増大
２、流体の流動速度を加速
３、流体の放熱面積を拡大
上記、第一〜第三枠壁によって形成されるラバールノズル状の滑らかな流路形状により、冷却空気のスムーズな強制送風効果が得られ、またファンによる気流のせん断による騒音も低減することができる。
更に、図６，７における第二枠壁１１５は第一枠壁１１４と等しい長さとし、第二枠壁１１５と第一枠壁１１４は上下対称構造を成し、上述と同じ作用を達成する。
【００１０】
以上に説明したように、本発明のファンユニットは、放熱効率を向上、風切音を減少、製品寿命を増延を達成する。
【発明を実施するための最良の形態】
【００１１】
図１〜４に示すように、本発明のファンユニットは、枠体１１及び羽根部１２から成り、枠体１１には枠体１１を貫通する空気流路としての開口を設け、開口は枠体１１の両側において、第一開口１１１及び第二開口１１２を形成し、枠体１１上に固定ユニットにて貫通固定させるよう貫通孔１１３を設け、第一開口１１１は枠体１１の外側から内側方向へ傾斜を持ち且つ輻射状で拡散範囲が枠体１１の貫通孔１１３の第一枠壁１１４を超過するように形成され、第二開口１１２側には第一枠壁１１４と反対方向に傾斜する第二枠壁１１５を設け、第一枠壁１１４と第二枠壁１１５間を傾斜のない垂直な第三枠壁１１６とし、第二開口１１２側に軸頭台１３を設け、軸頭台１３周囲より少なくとも一つのジャック１３１を第二枠壁１１５へ連接、軸頭台１３上には中空の軸筒１３２を形成、軸筒１３２内には、少なくとも一つの軸受１４及び環状ナット１５を設け、軸筒１３２外側にはモーター固定子を被せる。羽根部１２は、軸頭１２１及び軸頭１２１より外側方向へ延長する羽１２２から成り、軸頭１２１内には軸心１２１１及びモーター回転子１７を設け、組立時は、軸心１２１１を軸筒１３２内の軸受１４へ貫通させ、並びに環状ナットを軸心１２１１上に固定して羽根１２を軸頭台１３上の枠体１１内で回転可能に支持し、モーター固定子１６とモーター回転子１７との間の磁界作用により羽を回転駆動する。
【００１２】
上述の貫通孔１１３は、第一枠壁１１４まで貫通してネジ固定の際の充分な強度を確保する。
第一枠壁１１４及び第二枠壁１１５は長さが異なるものとし、羽根１２は、第一枠壁１１４に沿い外側へ拡散し、その大きさを調整することが可能である。
【００１３】
図４，５並びに補足としての図１に示すように、モーター固定子１６とモーター回転子１７間において励磁時に生じる磁力作用によってモーター回転子を駆動回転させ、更に羽部１２を回転させ、同時に流体を第一開口１１１より流入させる。
第一枠壁１１４は、輻射状拡散方向へ枠体１１の貫通孔１１３を超えて延長することにより、第一開口１１１の流体流入面積を拡大、即ち第一開口１１１より流入する流体量を増加することができる。流体が第三枠壁１１６を通過時、羽根１２２と第三枠壁１１６の作用により加圧作用を生じさせ、流体の流れを加速し、更に流体が第二枠壁１１５を通過後、第二枠壁１１５の傾斜により、外側拡散方向へ流動して、送風可能な放熱面積を増加する。更に、第一枠壁１１４は傾斜状を成す為、流体が直接衝突して生じる騒音及び流入面積が不均等により生じる騒音を大幅に減少させ、また、貫通孔１１３は直接第一枠壁１１４へ貫通する為、製造工程上の効率を向上させ、且つ公知のファンにおいて薄い塀壁上に開口を設ける為、開口を設けた部分が非常に脆弱であるという問題を改善している。
【００１４】
本発明では好ましい実施例を前述の通り開示したが、これらは決して本発明に限定するものではなく、当該技術を熟知する者なら誰でも、本発明の精神と領域を脱しない範囲内で各種の変動や潤色を加えることができ、従って本発明明の保護範囲は、実用新案請求の範囲で指定した内容を基準とする。
【図面の簡単な説明】
【００１５】
【図１】本発明の立体分解図である。
【図２】本発明の立体組立図である。
【図３】図２の俯瞰図である。
【図４】図２の線Ａ−Ａによる断面図である。
【図５】図４の縁部の拡大図である。
【図６】本発明の断面図である。
【図７】図６の縁部の拡大図である。
【符号の説明】
【００１６】
１１ 枠
１１１ 第一開口
１１２ 第二開口
１１３ 貫通孔
１１４ 第一枠壁
１１５ 第二枠壁
１１６ 第三枠壁
１２ 羽根部
１２１ 軸頭
１２１１ 軸心
１２２ 羽根
１３ 軸頭台
１３１ ジャック
１３２  軸筒
１４ 軸受
１５ 環状ナット
１６ モーター固定子
１７ モーター回転子
【図１】
2007100555.tif 000003
【図２】
2007100555.tif 000004
【図３】
2007100555.tif 000005
【図４】
2007100555.tif 000006
【図５】
2007100555.tif 000007
【図６】
2007100555.tif 000008
【図７】
2007100555.tif 000009